(57)【要約】      （修正有）【課題】周囲の景色が気になりにくく、色見本と絵の具等の色を比較することができる色見本を提供する。【解決手段】基材２には、複数の見本色印刷領域７ａ，７ｂがあり、見本色印刷領域７ａ，７ｂは、いずれも４区画に区分されており、各区画がそれぞれ独立した見本色印刷部３，５を構成している。見本色印刷部３，５には強度の弱い破断容易部２０があり、破断容易部２０に沿って基材を破ることによって印刷部位に覗き孔が形成される。破断容易部２０は環状に繋がっており、破断容易部２０に沿って基材２を破ることによって開口が形成される。【選択図】図２
0003207760.tif 000002
【実用新案登録請求の範囲】
【請求項１】
基材に所定の見本色が印刷された見本色印刷部を有する色見本において、見本色印刷部に強度の弱い破断容易部があり、破断容易部に沿って基材を破ることによって印刷部位に覗き孔を形成することが可能であることを特徴とする色見本。
【請求項２】
破断容易部は環状に繋がっており、破断容易部に沿って基材を破ることによって開口が形成されることを特徴とする請求項１に記載の色見本。
【請求項３】
覗き孔は、円形であることを特徴とする請求項１又は２に記載の色見本。
【請求項４】
複数の基材が綴じられて冊子状を呈し、
前記基材には複数の見本色印刷部を有するものがあって、一枚の基材の見本色印刷部に異なる色の見本色が印刷されていることを特徴とする請求項１乃至３のいずれかに記載の色見本。
【請求項５】
一枚の基材の複数の見本色印刷部には、色彩が同一又は近似し明度が異なる見本色が印刷されていることを特徴とする請求項４に記載の色見本。
【請求項６】
一枚の基材の複数の見本色印刷部には、複数の色が混色されたものであって混合比率が異なる色見本が印刷されており、且つ混合される色を印刷した基本色表示があることを特徴とする請求項４又は５に記載の色見本。
【請求項７】
見本色印刷部が印刷された基材には、使用者が絵の具を塗るための試験塗り部が設けられていることを特徴とする請求項１乃至６のいずれかに記載の色見本。
【請求項８】
見本色印刷部が無く、使用者が絵の具を塗るための試験塗り部が設けられている基材が含まれていることを特徴とする請求項１乃至７のいずれかに記載の色見本。
【請求項９】
複数の色が混色された見本色が印刷された見本色印刷部またはその近傍に、色の混合比率が記載されていることを特徴とする請求項１乃至８のいずれかに記載の色見本。
【請求項１０】
複数の色が混色された見本色が印刷された見本色印刷部またはその近傍に、色の名称及び色を特定する記号が記載されていることを特徴とする請求項１乃至９のいずれかに記載の色見本。
【考案の詳細な説明】
【技術分野】
【０００１】
色彩教育の教材として使用したり、絵の具等を混合して所望の色を作る場合の参考として使用される色見本に関するものである。
【背景技術】
【０００２】
絵の具は、１２色セットや２４色セットという様に基本的な色彩のものがセット物として販売される場合が多い。
これに対して、天然の色の種類は無限であり、単に１２色セット等の絵の具をそのまま塗っても芸術的な画を創作することはできない。
そのため使用者が絵の具等を使用して画を描く場合は、絵の具を混ぜて所望の色を作ることとなる。
しかしながら、複数の絵の具を混ぜた場合に、どの様な色ができるのかを知るには熟練を要する。
そこで学校では、図工や美術の授業で絵の具の基本的な混合方法を教える場合が多い。即ち、赤、青、黄色等の基本色を選択的に混合すると、どの様な色ができるのかを教える。
また授業で使用することを目的とする教材が、特許文献１に開示されている。
【０００３】
特許文献１に開示された考案は混色カードであり、複数のカードが連結手段で連結されたものである。
混色カードには、表面に基本色が表示された基本色カードと、表面に混合色が表示された混合色カードがそれぞれ複数含まれている。
また各カードの裏面には、混合色に対応する色番号と、混合色を得るために選択すべき選択色に対応する色名と、混合比率等が記載されている。
【０００４】
授業を受ける児童等は、複数の基本色を混ぜて混合色を作り、できあがった混合色と、混色カードの色を比べることによって、絵の具の混合を体験すると共に混合の効果を確認することができ、教育効果が高まる。
【先行技術文献】
【特許文献】
【０００５】
【特許文献１】実用新案登録第３１６３６９１号公報
【考案の概要】
【考案が解決しようとする課題】
【０００６】
特許文献１に開示された考案は、形状がカード状である。そのため使用者は、絵の具を試し塗りした紙や、実際に絵を描いた画用紙等に、カード１０２を上下に距離をおいて重ね、その差異を確認することとなる。
また図１１（ａ）の様にパレット１００で混合した絵の具１０１とカード１０２を上下に距離をおいて重ね、その差異を確認する場合もある。
しかしながらこの方策によると、絵の具１０１の周囲の景色（試し書きの紙の素地やパレット等）も視界の中に混在し、まわりの色が気になって絵の具１０１の色とカード１０２の色を比較しにくい。
そこで本考案は、従来技術の上記した問題点に注目し、周囲の景色が気になりにくい色見本を提供することを課題とする。
【課題を解決するための手段】
【０００７】
上記した課題を解決するための請求項１に記載の考案は、基材に所定の見本色が印刷された見本色印刷部を有する色見本において、見本色印刷部に強度の弱い破断容易部があり、破断容易部に沿って基材を破ることによって印刷部位に覗き孔を形成することが可能であることを特徴とする色見本である。
【０００８】
ここで、「色」には、色相、明度、彩度の３要素がある。本明細書では、色相、明度、彩度のいずれかが異なれば、違う色であるという考えを前提としている。
本考案の色見本では、破断容易部に沿って基材を破ることによって印刷部位に覗き孔を形成することが可能である。そのため使用者は覗き孔を通して混合した絵の具の色等を観察することができ、周囲の景色の影響を少なくすることができる。
【０００９】
破断容易部は環状に繋がっており、破断容易部に沿って基材を破ることによって開口が形成されることが望ましい（請求項２）。
【００１０】
覗き孔は、円形であることが望ましい（請求項３）。
【００１１】
請求項４に記載の考案は、複数の基材が綴じられて冊子状を呈し、前記基材には複数の見本色印刷部を有するものがあって、一枚の基材の見本色印刷部に異なる色の見本色が印刷されていることを特徴とする請求項１乃至３のいずれかに記載の色見本である。
【００１２】
本考案によると、より多くの見本色を表示することができる。
【００１３】
請求項５に記載の考案は、一枚の基材の複数の見本色印刷部には、色彩が同一又は近似し明度が異なる見本色が印刷されていることを特徴とする請求項４に記載の色見本である。
【００１４】
本考案は、グラデーションを教える授業の教材や、絵画を描く際等に行う絵の具の混合の参考資料として有効である。
【００１５】
請求項６に記載の考案は、一枚の基材の複数の見本色印刷部には、複数の色が混色されたものであって混合比率が異なる色見本が印刷されており、且つ混合される色を印刷した基本色表示があることを特徴とする請求項４又は５に記載の色見本である。
【００１６】
本考案は、異なる色相の絵の具を混合して所望の色を作る授業の教材や、絵画を描く際等に行う絵の具の混合の参考資料として有効である。
【００１７】
請求項７に記載の考案は、見本色印刷部が印刷された基材には、使用者が絵の具を塗るための試験塗り部が設けられていることを特徴とする請求項１乃至６のいずれかに記載の色見本である。
【００１８】
本考案によると、自己が混合した色を確認したり、学習の証として記録することができる。
【００１９】
請求項８に記載の考案は、見本色印刷部が無く、使用者が絵の具を塗るための試験塗り部が設けられている基材が含まれていることを特徴とする請求項１乃至７のいずれかに記載の色見本である。
【００２０】
本考案によると、例えば使用者が独自に混合した絵の具等を塗っておくことにより、色見本の資料としての価値をより向上させることができる。
【００２１】
請求項９に記載の考案は、複数の色が混色された見本色が印刷された見本色印刷部またはその近傍に、色の混合比率が記載されていることを特徴とする請求項１乃至８のいずれかに記載の色見本である。
【００２２】
本考案によると、見本色印刷部に表示された色を再現しやすい。
【００２３】
請求項１０に記載の考案は、複数の色が混色された見本色が印刷された見本色印刷部またはその近傍に、色の名称及び色を特定する記号が記載されていることを特徴とする請求項１乃至９のいずれかに記載の色見本である。
【００２４】
本考案によると、見本色印刷部に表示された色を再現しやすい。
【考案の効果】
【００２５】
本考案の色見本は、見本色が印刷された部分に覗き孔を形成することができる。本考案の色見本によると、覗き孔を通して絵の具等を観察することができ、周囲の景色の影響を受けにくい状態で、色見本と絵の具等の色を比較することができる。そのため色見本と絵の具等の色を容易に比較することができる。
【図面の簡単な説明】
【００２６】
【図１】本考案の具体的実施形態の色見本の斜視図である。
【図２】（ａ）（ｂ）は、図１の色見本の頁を開いた状態の正面図である。
【図３】図１の色見本のグラデーション表示頁の見本色印刷領域の拡大図である。
【図４】図１の色見本の混合色表示頁の見本色印刷領域の拡大図である。
【図５】図１の色見本の試験塗り部専用頁の正面図である。
【図６】図１の色見本と、パレット上の絵の具を比較する場合の状態を説明する斜視図である。
【図７】図１の色見本と、パレット上の絵の具を比較する場合の状態を説明する正面図であり、パレットの上に距離をおいて図１の色見本を重ねた状態を示す。
【図８】図１の色見本と、紙に試し塗りした絵の具を比較する場合の状態を説明する正面図であり、（ａ）は絵の具が塗られた紙であり、（ｂ）は紙の上に距離をおいて図１の色見本を重ねた状態を示す。
【図９】図１の色見本と、紙に塗った絵の具を比較する場合の状態を説明する正面図であり、（ａ）は絵の具が塗られた絵画であり、（ｂ）は絵画の上に距離をおいて図１の色見本を重ねた状態を示す。
【図１０】（ａ）乃至（ｄ）は、破断容易部の形状と、破断容易部を破断した場合に形成される覗き孔の形状の変形例を示す説明図である。
【図１１】特許文献１に開示された混色カードと、パレット上の絵の具を比較する場合の状態を説明する正面図であり、（ａ）はパレット単体を示し、（ｂ）はパレットの上に距離をおいて特許文献１の混色カードを重ねた状態を示す。
【考案を実施するための形態】
【００２７】
以下さらに本考案の実施形態について説明する。
本実施形態の色見本１は、小型のノートの様な冊子状を呈し、内部に多数の基材２が綴じられている。基材２は、印刷された紙である。
【００２８】
基材２には、一面だけに見本色印刷部３，５等が設けられ、その裏面は説明や解説が記載されたものや、表裏の両面に見本色印刷部３，５等が設けられたものがある。
見本色印刷部３，５等が設けられた頁（以下  見本色表示頁）６ａ，６ｂ，６ｃのレイアウトは、概ね図２の通りである。
【００２９】
見本色表示頁６は、いずれも複数の見本色印刷領域７がある。本実施形態では各見本色表示頁６には、それぞれ４か所の見本色印刷領域７ａ，７ｂがある。なお見本色印刷領域７の数は限定されるものではない。
見本色印刷領域７は、図３、図４の様にいずれも複数箇所（実施形態では４区画）に区分されており、各区画がそれぞれ独立した見本色印刷部３，５を構成している。
見本色表示頁６には、グラデーションを教示するためのグラデーション表示頁１０と、絵の具を混合した場合の色相変化を教示するための混合色表示頁１１がある。
図３に示す様に、見本色印刷領域７ａの見本色印刷部３はグラデーション表示頁１０のものであり、図４に示す様に、見本色印刷領域７ｂの見本色印刷部５は混合色表示頁１１のものである。
見本色印刷領域７ａのレイアウトと、見本色印刷領域７ｂのレイアウトは、略同一であるから、グラデーション表示頁１０の見本色印刷領域７ａのレイアウトを説明する。
【００３０】
見本色印刷領域７ａは、全体の輪郭形状が略長方形であり、その略中央部に縦に仕切り線１２が設けられ、その一方の領域が大面積見本色印刷部３ａとなっている。また他方の領域は、２本の横線１３によってさらに三分割され、小面積見本色印刷部３ｂ，ｃ，ｄとなっている。
各見本色印刷部３には、色を特定する記号１７が記載されている。当該記号は、例えばマンセル値である。また色を特定する記号１７は国や地域、団体が認定した記号であることが望ましいが、メーカ特有の色番号であってもよい。
また各見本色印刷部３には、絵の具の混合比率を表示する比率表示部１６がある。
【００３１】
各見本色印刷部３には、破断容易部２０が形成されている。破断容易部２０は、例えばミシン目で作られた曲線であり、他の部位に比べて強度が極端に低いラインである。
本実施形態では、破断容易部２０のラインは環状に繋がっており、正面視した輪郭形状は円形である。
【００３２】
見本色印刷領域７ａの上には、基本色表示１５が２か所に設けられている。基本色表示１５は、混合される色をカラー印刷した印刷表示部３５と、その色を特定する名称が表示された名称表示部３６がある。
【００３３】
また見本色印刷領域７ａの側面側、特に小面積見本色印刷部３ｂ，ｃ，ｄの側面側には、試験塗り部２１がある。本実施形態では、試験塗り部２１は、小面積見本色印刷部３ｂ，ｃ，ｄに合わせて同じ数の枡目に区切られており、各小面積見本色印刷部３ｂ，ｃ，ｄに対応する枡目がある。
【００３４】
混合色表示頁１１の見本色印刷領域７ｂのレイアウトは、前記したグラデーション表示頁１０の見本色印刷領域７ａのレイアウトと略同一である。両者の相違点は、グラデーション表示頁１０の見本色印刷領域７ａでは小面積見本色印刷部３ｂ，ｃ，ｄが３個あるのに対し、混合色表示頁１１の見本色印刷領域７ｂでは、小面積見本色印刷部５ｂ，ｃが２個である。また対応する試験塗り部２１は、小面積見本色印刷部５ｂ，ｃに合わせて同じ数の枡目に区切られており、各小面積見本色印刷部５ｂ，ｃに対応する枡目がある。
【００３５】
前記した様に、見本色表示頁６には、グラデーションを教示するためのグラデーション表示頁１０と、絵の具を混合した場合の色相変化を教示するための混合色表示頁１１がある。
ここで絵の具を使用したグラデーションは、赤や黄色等の色彩のある絵の具に、色彩の無い白色の絵の具を混ぜて明度を調整することによって行われる。
そのためグラデーション表示頁１０の見本色表示頁６ａ，６ｂでは、見本色印刷領域７ａに属する各見本色印刷部３に、色相が同一で明度が異なる色が印刷されている。
本実施形態では、大面積見本色印刷部３ａに白色が混じっていない基本色が見本色として印刷され、側面に並んでいる小面積見本色印刷部３ｂ，ｃ，ｄに白色絵の具の配合比率の異なる見本色が印刷されている。
本実施形態では、小面積見本色印刷部３ｂ，ｃ，ｄは、下に行く程白色絵の具の配合比率が高く、明度が高い。
またグラデーション表示頁１０の基本色表示１５は、一か所が黄色等の色相を有する色であり、他方は白色である。
【００３６】
これに対して混合色は、色相のある絵の具同士を混合して別の色相を作る。そのため混合色表示頁１１の見本色表示頁６ｃでは、見本色印刷領域７ｂに属する各見本色印刷部５には、色相が異なる色が印刷されている。
本実施形態では、大面積見本色印刷部５ａに二つの基本色を均等割合で混合した色が見本色として印刷され、側面に並んでいる小面積見本色印刷部５ｂ，ｃに二つの基本色の配合比率の異なる見本色が印刷されている。
例えば小面積見本色印刷部５ｂ，ｃは、下に行く程、一方の絵の具の配合比率を高くする。
また混合色表示頁１１の基本色表示１５は、色相の異なる色が表示されている。
【００３７】
本実施形態の色見本１では、巻末またはその近傍に、試験塗り専用頁２６が設けられている。
試験塗り専用頁２６は、図５の様に枡目が印刷された頁であり、各枡目内が試験塗り部２３となっている。
【００３８】
次に、本実施形態の色見本１の使用方法について説明する。
本実施形態の色見本１は、絵の具の混合割合と、その際に出現する色が対応して印刷されているので、印刷されたいずれかの見本色を作りたい場合には、その混合比率に沿って絵の具を混合すればよい。
また混合後の絵の具の色と、見本色を比較することができる。
ここで本実施形態では、基材２に覗き孔２２を形成することにより、より正確に絵の具の色と、見本色を比較することができる。
【００３９】
本実施形態の色見本１では、各見本色印刷部３に、破断容易部２０が形成されている。破断容易部２０の輪郭は、環状に繋がっており、正面視した形状は円形である。
そのため指等で破断容易部２０を押すと、破断容易部２０のミシン目が切れ、図６の様に円形の覗き孔２２が開口する。
そして図７の様にパレット２８の上に距離をおいて色見本１を重ね、覗き孔２２からパレット２８の絵の具２５を見る。
その結果、図７の様に絵の具２５の全周が色見本１の見本色印刷部３で囲まれる。そのため、パレット２８の地色等の周囲の色に惑わされることなく、絵の具２５と見本色印刷部３の色を単純に比較することができる。
【００４０】
また見本色印刷領域７の側面側に設けられた試験塗り部２１に、混合した後の絵の具を塗ってみることもできる。
試験塗り部２１に絵の具を塗った状態の色見本１を教師に提出し、評価を受けることもできる。
また試験塗り専用頁２６の試験塗り部２３に絵の具を塗ってもよい。
【００４１】
また本実施形態の色見本１は、図８の様な色の具合を確認するために試し塗りした紙４０の色と、見本色を比較する用途に使用することも推奨される。
絵の具を混合した場合、混合後の色を確認するため、キャンバスや画用紙等と同等の色や吸湿性を有する紙４０等に絵の具を試し塗りする場合がある（図８（ａ））。
そして試し塗りの部位４１と、色見本１の各見本色印刷部３，５の色を比較する。
また必要に応じて、いずれかの見本色印刷部３，５の破断容易部２０を押し破って覗き孔２２を形成し、覗き孔２２から試し塗りした紙４０の試し塗りの部位４１を見る。
その結果、図８（ｂ）の様に試し塗りした紙４０の色付き部分が色見本１の見本色印刷部３で囲まれる。そのため、紙４０の地色に惑わされることなく、試し塗りの部位４１と見本色印刷部３，５の色を単純に比較することができる。
【００４２】
またさらに本実施形態の色見本１は、図９の様な紙やキャンバスに描いた絵の色と、見本色を比較する用途に使用することも推奨される。
図９は、絵画４３の色と色見本１の見本色印刷部３の見本色を比較する際の様子を示している。
絵画４３には富士山が描かれており、すそ野の部分は光の作用を表現するために明度が連続的に変えられている。即ちすそ野の部分はグラデーションとなっている。
そして本実施形態の色見本１のグラデーション表示頁１０を使用してすそ野の部分の色を検討することができる。即ち富士山のすそ野の各部位と、色見本１のグラデーション表示頁１０の各見本色印刷部３を比較する。
また必要に応じて、いずれかの見本色印刷部３の破断容易部２０を押し破って覗き孔２２を形成し、覗き孔２２から絵画の着色部を見る。
【００４３】
以上説明した実施形態では、破断容易部２０は、環状に繋がっており、且つ正面視した形状は円形である。
しかしながら本考案はこの構成に限定されるものではなく、図１０（ａ）の様に環状に繋がっていない破断容易部３０であってもよい。環状に繋がっていない破断容易部３０を押すと、図面右の様に、破断容易部３０が破断することによって、一部が繋がった状態で陥没し、覗き孔２７が開く。
また図１０（ｂ）の様な三角形や、図１０（ｃ）の様な四角形の様な多角形の輪郭を形成する破断容易部３１，３２であってもよい。
さらに図９（ｃ）の様に、一つの見本色印刷部３，５に複数の破断容易部２０があってもよい。
【００４４】
以上説明した実施形態の色見本１は、２種類の色を混ぜ合わせた状態を知るものであるが、３種類以上の色を混合した状態を表示するものであってもよい。
【００４５】
以上説明した実施形態の色見本１は、冊子状であるが、特許文献１の様なカード状であり、カードに破断容易部２０が設けられていてもよい。
【符号の説明】
【００４６】
１  色見本
２  基材
３，５  見本色印刷部
７  見本色印刷領域
１０  グラデーション表示頁
１１  混合色表示頁
１７  色を特定する記号
１６  比率表示部
２０，３０，３１，３２  破断容易部
２１，２３  試験塗り部
２２，２７  覗き孔
【図１】
0003207760.tif 000003
【図２】
0003207760.tif 000004
【図３】
0003207760.tif 000005
【図４】
0003207760.tif 000006
【図５】
0003207760.tif 000007
【図６】
0003207760.tif 000008
【図７】
0003207760.tif 000009
【図８】
0003207760.tif 000010
【図９】
0003207760.tif 000011
【図１０】
0003207760.tif 000012
【図１１】
0003207760.tif 000013